(57)【要約】【課題】  振動防止効果が高く且つスピーカボックスの移動に便利なスピーカボックスの振動防止足装置の提供。【解決手段】  支持ピン、足パッド及び減振スリーブで構成され、その特徴は、支持ピンと足パッドの組合せがスピーカボックスに完全な減振効果を提供し、減振スリーブで支持ピンと足パッドを結合して一体とする構造設計により、減振スリーブを更に保有し並びにスピーカボックスの移動作業に便利で、スピーカボックスの運搬後に時間をかけずに支持ピンと足パッドの位置を合わせて接合させることができ、相当に便利で実用的である。【選択図】        図３
0003107462.tif 000002
【実用新案登録請求の範囲】
【請求項１】
支持ピンと足パッドで構成され、該支持ピンは一端に尖錐部が形成され、別端にスクリュー部が形成され、該スクリュー部に順に螺合ブロック、ワッシャ、螺合ナット、及び係止ナットが螺合され、該足パッドの表面中央には支持ピン孔が設けられて支持ピンの尖錐部の嵌入に供されるスピーカボックスの振動防止足装置において、
該支持ピンの尖錐部の外周が減振スリーブで被覆され、該減振スリーブはその閉口端の中央に穿孔が開設され、足パッドの表面周囲に凹んだ嵌合面が設けられて減振スリーブの開放端の緊迫固定に供され、支持ピンと足パッドが減振スリーブにより結合され一体とされ、スピーカボックスが振動防止と移動に便利な機能を具備するものとされたことを特徴とする、スピーカボックスの振動防止足装置。
【請求項２】
請求項１記載のスピーカボックスの振動防止足装置において、減振スリーブの穿孔の孔径が支持ピンのスクリュー部より大きく設けられたことを特徴とする、スピーカボックスの振動防止足装置。
【考案の詳細な説明】
【技術分野】
【０００１】
本考案は一種のスピーカボックスの振動防止足装置を提供し、特に振動防止効果が高く且つスピーカボックスの移動に便利なスピーカボックスの振動防止足装置に関する。
【背景技術】
【０００２】
音響設備は防振に注意する必要があり、すなわち音響設備の動作時に、その電機の回転部分は騒音を発生するだけでなく、振動を有する。即ち非常に軽い振動であっても音響の音質に影響を発生する。これにより、音響及びスピーカボックス等の設備には適切な防振或いは減振の措置を採らねば、最良の再生効果を達成できない。音響器材に対して影響を発生する振動源にはモータ、変圧器磁誘導、スピーカの多重音波等である。振動の音響設備に対する多重音声の影響を防止する。音響設備自身の採用する振動防止、振動吸収措置のほか、各種の振動防止器材が生れ、且つその種類は非常に多い。ただしほとんどは硬質角錐足と軟性の振動吸収パッドの二種類に分けられ、いずれも振動の音響器材に対する影響を更に除去することができる。
【０００３】
周知のスピーカボックスに運用されている振動防止足装置１は図１に示されるようであり、それは支持ピン１０、及び足パッド１１で組成され、該支持ピン１０の一端は尖錐１０１とされ、別端はスクリュー１０２とされ、スクリュー１０２に緊迫ブロック１０３、ワッシャ１０４、締めつけナット１０５及び位置決めナット１０６が螺合され、足パッド１１の表面中央に尖錐孔１１１が設けられている。実施上は、図２に示されるように、複数の緊迫ブロック１０３が三角或いは四角にスピーカボックス底部の孔内に配置され、ワッシャ１０４、締めつけナット１０５、位置決めナット１０６を螺合した複数の支持ピン１０がスクリュー１０２により螺合、位置決めされ、更に足パッド１１が各支持ピン１０の下方に置かれ、支持ピン１０の尖錐１０１が尖錐溝１１１内に置かれ、こうしてスピーカボックス全体が必要な振動減少効果を達成するものとされている。
【０００４】
上述の振動防止足装置は音響設備自身の振動を導出し、それを外界の振動と隔離し、音響設備内部及び外部振動の音質に対する影響を減らす。ただし、その実際の使用上の経験から、スピーカボックスを移動させる時、各支持ピンと足パッドが分離式とされているため、所定の位置に移動させた後に、各足パッドを支持ピンの位置に合わせて設置しなければならず、もしスピーカボックスの体積が大きく重い場合に困難であった。
【０００５】
このことから、もとの振動防止足の具備する振動減少効果を保持しつつ、上述の欠点を解決するスピーカボックスの振動防止足装置が求められている。
【考案の開示】
【考案が解決しようとする課題】
【０００６】
本考案は従来のスピーカボックスの振動防止足装置を改善し、完全な振動減少効果を具え、且つスピーカボックスの移動作業に便利とした新規なスピーカボックスの振動防止足装置を提供することを目的とする。この目的を達成するため、本考案は、支持ピン、足パッド及び減振スリーブで構成され、その特徴は、支持ピンと足パッドの組合せがスピーカボックスに完全な減振効果を提供し、減振スリーブで支持ピンと足パッドを結合して一体とする構造設計により、減振スリーブを更に保有し並びにスピーカボックスの移動作業に便利で、スピーカボックスの運搬後に時間をかけずに支持ピンと足パッドの位置を合わせて接合させることができ、相当に便利で実用的であるものとされる。
【課題を解決するための手段】
【０００７】
請求項１の考案は、支持ピンと足パッドで構成され、該支持ピンは一端に尖錐部が形成され、別端にスクリュー部が形成され、該スクリュー部に順に螺合ブロック、ワッシャ、螺合ナット、及び係止ナットが螺合され、該足パッドの表面中央には支持ピン孔が設けられて支持ピンの尖錐部の嵌入に供されるスピーカボックスの振動防止足装置において、
該支持ピンの尖錐部の外周が減振スリーブで被覆され、該減振スリーブはその閉口端の中央に穿孔が開設され、足パッドの表面周囲に凹んだ嵌合面が設けられて減振スリーブの開放端の緊迫固定に供され、支持ピンと足パッドが減振スリーブにより結合され一体とされ、スピーカボックスが振動防止と移動に便利な機能を具備するものとされたことを特徴とする、スピーカボックスの振動防止足装置としている。
請求項２の考案は、請求項１記載のスピーカボックスの振動防止足装置において、減振スリーブの穿孔の孔径が支持ピンのスクリュー部より大きく設けられたことを特徴とする、スピーカボックスの振動防止足装置としている。
【考案の効果】
【０００８】
本考案は従来のスピーカボックスの振動防止足装置を改善し、完全な振動減少効果を具え、且つスピーカボックスの移動作業に便利とした新規なスピーカボックスの振動防止足装置を提供している。
【考案を実施するための最良の形態】
【０００９】
図３に示されるように、本考案のスピーカボックスの振動防止足装置２は、支持ピン２０、足パッド２１で構成され、そのうち、支持ピン２０は１端に尖錐部２０１が形成され、別端にスクリュー部２０２が形成され、該スクリュー部２０２に順に螺合ブロック２０３、ワッシャ２０４、螺合ナット２０５、及び係止ナット２０６が螺合されている。該足パッド２１の表面中央には支持ピン孔２１１が設けられて尖錐部２０１の嵌入に供される。
【００１０】
本考案の構造の特徴は以下のとおりである。支持ピン２０の尖錐部２０１の外周が減振スリーブ２２で被覆され、該減振スリーブ２２はその閉口端の中央に穿孔２２１が開設され、該穿孔２２１の孔径は支持ピン２０のスクリュー部２０２よりやや大きく、また、足パッド２１の表面周囲に凹んだ嵌合面２１２が設けられて減振スリーブ２２の開放端との緊迫固定に供され、こうして支持ピン２０と足パッド２１が減振スリーブ２２により結合され一体とされた構造形態とされ、これは図４、５に示されるとおりである。
【００１１】
図６に示されるように、螺合ブロック２０３がまずスピーカボックス３の底面の所定部分に結合され、更に結合され一体とされた支持ピン２０、足パッド２１、及び減振スリーブ２２がスクリュー部２０２により固定され、更に螺合ナット２０５及び係止ナット２０６により確実な螺合、位置決めが行なわれ、スピーカボックス３底部の振動防止足２が形成され、振動減少効果を具備するものとされる。こうして、スピーカボックス３を運搬する必要がある時、支持ピン２０がすでに足パッド２１と結合され一体とされているため、簡単に移動機能を達成でき、スピーカボックス３を移動させた後に時間をかけずに各支持ピン２０と対応する足パッド２１の位置を合わせればよく、相当に便利で精巧な設計とされている。
【００１２】
本考案は特殊な減振スリーブを運用し足パッドと支持ピンを結合して一体となし、スピーカボックスの運搬或いは移動の作業に便利であるほか、その振動減少効果においても、減振スリーブに設けられた穿孔の孔径が比較的大きいため、支持ピンのスクリュー部を通した後に相当のゆとりがあり適宜活動可能であり、ゆえにもとの設計の減振効果に影響を与えることがない。
【００１３】
総合すると、本考案のスピーカボックスの振動防止足装置は、既存の振動防止足装置の使用上の欠点を解決し、且つその実用性と便利性を高めており、同類の製品中にその構造は未だなく、ゆえに実用新案登録の要件を具備している。
【図面の簡単な説明】
【００１４】
【図１】周知の技術の分解図である。
【図２】周知の技術の実施形態表示図である。
【図３】本考案の実施例の全体構造分解図である。
【図４】本考案の実施例の全体構造組合せ図である。
【図５】本考案の実施例の全体構造透視図である。
【図６】本考案の実施例の実施形態表示図である。
【符号の説明】
【００１５】
１  振動防止足装置                    １０  支持ピン
１０１  尖錐                          １０２  スクリュー
１０３  緊迫ブロック                  １０４  ワッシャ
１０５  締めつけナット                １０６  位置決めナット
１１  足パッド                        １１１  尖錐孔
２  振動防止足装置                    ２０  支持ピン
２０１  尖錐部                        ２０２  スクリュー部
２０３  螺合ブロック                  ２０４  ワッシャ
２０５  螺合ナット                    ２０６  係止ナット
２１  足パッド                        ２１１  支持ピン孔
２１２  嵌合面                        ２２  減振スリーブ
２２１  穿孔                          ３  スピーカボックス
【図１】
0003107462.tif 000003
【図２】
0003107462.tif 000004
【図３】
0003107462.tif 000005
【図４】
0003107462.tif 000006
【図５】
0003107462.tif 000007
【図６】
0003107462.tif 000008